(57)【要約】      （修正有）【課題】楽に使用でき、命中率を高めることができる、火薬を使わずに弾丸を押し出す銃の提供。【解決手段】銃身、シリンダー体Ｅ及びピストンＦから構成され、前記シリンダー体内に流体を通過させる通路Ｅ１が穿設され、且つ、前記通路は対応する収容空間Ｅ２を備え、前記収容空間内に弾性部材Ｅ３が設けられ、且つ、この弾性部材は一端がピストンＦに当接され、他端がシリンダー体Ｅの片側に当接されると共に、前記ピストンに係合部材Ｆ１が接続され、且つ、この係合部材は前記弾性部材に穿通され、さらに掛止部材Ｇに係合される係合部Ｆ２が延伸して設けられ、前記銃の撃発時に瞬間的に撃発の機能を形成でき、効果的に楽で高い命中率を得ることができる。【選択図】図４
0003133658.tif 000002
【実用新案登録請求の範囲】
【請求項１】
銃であって、銃身、シリンダー体及びピストンから構成され、前記銃身内にシリンダー体が設けられ、前記シリンダー体内に通路と収容空間が穿設され、そのうち、前記シリンダー体に弾性部材が接続され、前記弾性部材の一端がピストンに当接され、且つ、前記ピストンに係合部材が延伸して設けられ、且つ、前記係合部材に係合部が設けられ、前記銃身内で前記シリンダー体とピストンを同時に移動させ、前記係合部が掛止部材に係合されるまで移動させ、さらに前記シリンダー体を逆の方向に推し動かし、前記ピストンが弾性部材を圧縮させ、前記銃の撃発時に瞬間的に撃発の機能を発生することを特徴とする火薬を使わずに弾丸を押し出す銃。        
【請求項２】
前記シリンダー体の弾性部材を前記シリンダー体の外に設置することができ、係合部材の移動により弾性部材を圧縮させ、ピストンを動かすことができることを特徴とする請求項１に記載の火薬を使わずに弾丸を押し出す銃。
【請求項３】
撃発前に前記係合部を前記掛止部材に係合させることで、撃発後に必要な伝動の時間を短縮することを特徴とする請求項１に記載の火薬を使わずに弾丸を押し出す銃。        
【請求項４】
前記弾性部材をバネ、連結棒、弾性ゴム及び関連の弾性を備えた装置、材質とすることができることを特徴とする請求項１に記載の火薬を使わずに弾丸を押し出す銃。
【請求項５】
前記ピストンの移動により、前記ピストンが前記弾性部材を動かし、前記弾性部材が最大限に伸縮されたとき、前記シリンダー体を動かして固定位置を離脱させ、撃発時に瞬間的に撃発の機能を発生することを特徴とする請求項１に記載の火薬を使わずに弾丸を押し出す銃。        
【考案の詳細な説明】
【技術分野】
【０００１】
本考案は火薬を使わずに弾丸を押し出す銃に関し、詳細には、撃発前にシリンダー体とピストンを同時に係合部が掛止部材に係合されるまで後方に移動させ、その後シリンダー体を前方に押すと、ピストンが弾性部材を圧縮し、銃の撃発時に瞬間的に撃発の機能を形成し、効果的に楽で高い命中率を得ることができる、火薬を使わずに弾丸を押し出す銃に関する。
【背景技術】
【０００２】
図１に示すように、一般的な従来の手動トイガンＡは、そのスライドＡ１内にバネＡ２とリコイルスプリングＡ３が設置され、使用者が撃発の機能を発生させたいときは、まずスライドＡ１に後退の作用力を形成し、その後スライドＡ１に前進の作用力を形成して装弾の動作を形成するが、スライドＡ１を後退させるときにかける力はバネＡ２にかける力量とリコイルスプリングＡ３にかける力を加えた作用力が必要であるため、この手動トイガンＡを撃発させる前には比較的大きな力を使用しなければ撃発射撃を行うことができない。
【０００３】
図２に示すように、一般的な従来の自動トイガンＢは、スライドＢ１内にシリンダーＢ２が設置され、且つ、シリンダーＢ２内にバネＢ３が設けられ、且つ、シリンダーＢ２の下方に複数のギヤＢ４が設置され、これら複数のギヤＢ４の下方にモーターＢ５が設けられ、使用者が撃発の機能を発生させたいときは、まずスイッチを押し、このスイッチによりモーターＢ５を回転させ、モーターＢ５が回転されると、複数のギヤＢ４の伝動とバネＢ３の圧縮が開始され、ギヤＢ４の動作周期が完了した後、バネＢ３を解放すると押圧力が発生し、撃発射撃を行うことができるというものである。このため、自動トイガンＢはスイッチを押してから撃発射撃までの間に長い時間がかかり、同時に命中率が低くなるという問題がある。
【０００４】
このため、いかに上述の問題を排除するかが本考案の解決する技術的問題点である。
【考案の開示】
【考案が解決しようとする課題】
【０００５】
本考案の目的は、楽に使用でき、命中率を高めることができる、火薬を使わずに弾丸を押し出す銃を提供することにある。    
【課題を解決するための手段】
【０００６】
以下、本考案について図面、符号、実施例に基づき詳細に説明する。本考案の火薬を使わずに弾丸を押し出す銃は、図３、図４及び図５に示すように、銃Ｃが銃身Ｄ、シリンダー体Ｅ及びピストンＦから構成され、前記銃身Ｄ内に前記シリンダー体Ｅが設置され、前記シリンダー体Ｅ内に流体を通過させる通路Ｅ１が穿設され、且つ、前記通路Ｅ１は対応する収容空間Ｅ２を備え、前記収容空間Ｅ２内に弾性部材Ｅ３が設けられ、且つ、この弾性部材Ｅ３は一端が前記ピストンＦに当接され、他端が前記シリンダー体Ｅの片側に当接されると共に、前記ピストンＦに係合部材Ｆ１が接続され、且つ、この係合部材Ｆ１は前記弾性部材Ｅ３に穿通され、さらに掛止部材に係合される係合部Ｆ２が延伸して設けられ、前記銃Ｃの撃発時に瞬間的に撃発の機能を形成でき、効果的に楽で高い命中率を得ることができる。
【考案の効果】
【０００７】
本考案の進歩性と実用性をよりはっきりと示すため、以下、従来品と比較して分析する。
《従来品の欠点》
一、大きな力でスライドを後方に引く作用力が必要である。
二、第一点を受けて、労力がかかるという問題がある。
三、スイッチを押した後、ギヤが回動しその動作周期を終えて始めて撃発の機能が得られる。
四、第三点を受け、命中率が低下する。
《本考案の利点》
一、シリンダー体と弾性部材の同時移動で施す作用力を減少できる。
二、第一点を受け、楽に使用することができる。
三、撃発前に係合部を掛止部材に係合させることで、スイッチを押した後瞬間的に撃発の機能が得られる。
四、第三点を受け、命中率を向上できる。
五、小さな仕事率のモーターで大きな仕事率のモーターの効果を得ることができる。
六、進歩性と実用性を備えている。
七、産業的競争力を向上できる。    
【考案を実施するための最良の形態】
【０００８】
本考案の実施方式は、火薬を使わずに弾丸を押し出す銃を提供するものであり、図６、図７、図８及び図９に示すように、シリンダー体Ｅを後方へ引く動作をし、シリンダー体Ｅが後方へ引かれると、前記シリンダー体Ｅ内の弾性部材Ｅ３とピストンＦが同時に後方へ引かれる動作をし、また、ピストンＦから延伸された係合部材Ｆ１と係合部Ｆ２もシリンダー体Ｅの後方へ引かれる動きに伴い、係合部材Ｆ１の係合部Ｆ２が掛止部材Ｇ上に係合されるまで後方へと引かれる。このとき、シリンダー体Ｅを前方へ押す動作をし、シリンダー体Ｅが前方へ押されると、シリンダー体Ｅの弾性部材Ｅ３が同時にピストンＦに押されて圧縮され、かつ気流がシリンダー体Ｅ内に吸入される。その後掛止部材Ｇを触発し、係合部Ｆ２を掛止部材Ｇから解放すると、前記ピストンＦが同時に弾性部材Ｅ３の弾力により押されて流体をシリンダー体Ｅから押し出す。そのうち、図１０に示すように、前記弾性部材Ｅ３はさらにシリンダー体Ｅ外に設置してもよく、係合部材Ｆ１の移動により弾性部材Ｅ３とピストンＦを動かすことができる。
【０００９】
図１１に示すように、シリンダー体ＥとピストンＦを手動銃Ｈに設置した後、手動銃Ｈに装弾したいとき、スライドＨ１を後方へ引く動作をすると、後方へ引くと同時に前記シリンダー体ＥとリコイルスプリングＨ２が後方へと動かされる。そのうち、前記スライドＨ１を後方へ引くときは前記リコイルスプリングＨ２の作用力のみを施すだけでよく、シリンダー体Ｅに作用力を施す必要はなく、後方へ引いて係合部Ｆ２を掛止部材Ｇに係合させた後、スライドＨ１を前方へ押すが、このスライドＨ１を前方へ押すときは前記弾性部材Ｅ３の作用力を施せばよく、リコイルスプリングＨ２を後方へ引く力と弾性部材Ｅ３を前方へ押す力を分散することで、より楽に使用することができる。
【００１０】
図１２に示すように、シリンダー体ＥとピストンＦを自動銃Ｉに設置するときは、スイッチを押す前にまずシリンダー体ＥとピストンＦを後方へ引き、その後シリンダー体Ｅを前方へ押してピストンＦで弾性部材Ｅ３を圧縮する動作を行わせると、前記自動銃Ｉを撃発させるとき、瞬間的に撃発の機能を発生することができ、動作時間を効果的に短縮し、命中率を高めることができる。
【００１１】
以上で述べた説明は本考案の最良の実施例に基づくものであり、本考案の特許範囲を制限するものではなく、本考案の明細書及び図面の内容を運用した同等の効果を得る構造を直接的または間接的にその他関連技術領域に運用したものはすべて、本考案の要旨の範囲内に含まれるものと見なす。
【００１２】
上述のように、本考案は先行技術を打破する構造で確実にその増進を図る効果を達成することができ、且つ、関連技術を熟知する者が容易に思いつくものではなく、さらに、本考案はその出願前に公開されたことがなく、その進歩性と実用性は実用新案登録出願の要件を満たしているため、法に基づきここに実用新案登録を出願するものである。
【図面の簡単な説明】
【００１３】
【図１】従来品の透視図である。
【図２】別の従来品の透視図である。
【図３】本考案の立体図である。
【図４】本考案の透視図である。
【図５】本考案の立体分解図である。
【図６】本考案の実施例図１である。
【図７】本考案の実施例図２である。
【図８】本考案の実施例図３である。
【図９】本考案の実施例図４である。
【図１０】本考案の実施例図５である。
【図１１】本考案の実施例図６である。
【図１２】本考案の実施例図７である。
【符号の説明】
【００１４】
Ａ        手動トイガン
Ａ１、Ｂ１    スライド  
Ａ２      バネ        
Ａ３      リコイルスプリング        
Ｂ        自動トイガン          
Ｂ２      シリンダー      
Ｂ３      バネ        
Ｂ４      ギヤ
Ｂ５      モーター
Ｃ        銃
Ｄ        銃身
Ｅ        シリンダー体
Ｅ１      通路
Ｅ２      収容空間
Ｅ３      弾性部材
Ｆ        ピストン
Ｆ１      係合部材
Ｆ２      係合部
Ｇ        掛止部材
Ｈ        手動銃
Ｈ１      スライド
Ｈ２      リコイルスプリング
Ｉ        自動銃
【図１】
0003133658.tif 000003
【図２】
0003133658.tif 000004
【図３】
0003133658.tif 000005
【図４】
0003133658.tif 000006
【図５】
0003133658.tif 000007
【図６】
0003133658.tif 000008
【図７】
0003133658.tif 000009
【図８】
0003133658.tif 000010
【図９】
0003133658.tif 000011
【図１０】
0003133658.tif 000012
【図１１】
0003133658.tif 000013
【図１２】
0003133658.tif 000014